(57)【要約】      （修正有）【課題】アトピー症状などの皮膚炎症部に塗布すると、症状の低減と併せて、ニンニク臭を脱臭することができ、無臭ニンニク液の品質不変、長期保存にも役立ち、長期保存と変質を防止することができる容器入り無臭ニンニク液体含有皮膚改善剤を提供する。【解決手段】生ニンニクを乾燥して、当該ニンニクを圧搾機によって圧搾ニンニクと搾りエキスを得て、当該エキスを含む混合物を２〜６月間熟成を行って、熟成後固液分離を行い、エキス液体分に植物性オイルを入れて十分に混合して、オイル成分とエキス液体成分を分別し、エキス液体成分を１〜６日間熟成を行って得られた抽出物を、アルコール成分を含有成分に添加して、１０〜５００ｍＬの容器５に充填されている容器入り無臭ニンニク液体含有皮膚改善剤１である。【選択図】図１
0003192807.tif 000002
【実用新案登録請求の範囲】
【請求項１】
生ニンニクを乾燥して、当該ニンニクを圧搾機によって圧搾ニンニクと搾りエキスを得て、当該エキスを含む混合物を２〜６月間熟成を行って、熟成後固液分離を行って、エキス液体分に植物性オイルを入れて十分に混合した後、オイル成分とエキス液体成分を分別して、エキス液体成分を１〜６日間熟成を行って得られた抽出物を、２０％以上のエチルアルコールを含有する溶液に添加して、１０〜５００ｍＬの容器に充填されていることを特徴とする容器入り無臭ニンニク液体含有皮膚改善剤
【請求項２】
生ニンニクを圧搾する装置は、ニンニクの皮剥き器と回転ダブルローラーによってニンニク球根を押し潰して、潰しニンニクを圧力１０ｋｇ以上で加圧圧搾機によって、エキス成分を搾りだしたもので、ニンニク球根を０．１〜３ｍｍの厚さに圧搾した後に、さらに液体成分を搾り出しして、ニンニク固形物とニンニクエキスとを分離して、前記のニンニクエキス液体に十分に熟成したものに植物性オイルとして、不飽和脂肪酸を５０％以上含有する植物性の油脂を添加して、ニンニクに含有する臭い成分を菜種油、大豆油、ひまわり油、オリーブ油、ベニバナ油から選ばれた油脂によって取り除かれたニンニク抽出液体成分を、エチルアルコールの濃度２０％以上含有する溶液に１０〜５０％添加して、皮膚に塗布できる容器に充填されていることを特徴とする請求項１に記載の容器入り無臭ニンニク液体含有皮膚改善剤
【請求項３】
皮膚に塗布できる容器として、１０ｍｌ〜５００ｍｌの容積を持ち、指圧で内部の無臭ニンニク抽出液とアルコール含有成分との混合溶液を圧出できる厚さである可塑性樹脂製の蓋付き容器であって、その容器内に無臭ニンニク抽出液とアルコルール溶液との混合溶液を注入されている携帯用小量容器としては、０．１ｍｍ〜１ｍｍの厚さで、ポリエチレン、ポリプロピレン、塩化ビニル、塩化ビニリデン、ポリエステル、ポリアミドの材質容器である、先端細型形状になっている可塑性樹脂製容器に充填されていることを特徴とする請求項１又は請求項２に記載の無臭ニンニク液体含有皮膚改善剤。
【請求項４】
アルコールを含有成分は、糖類を発酵させて生成されたエチルアルコールを含有する飲料用アルコールであって、エチルアルコールの含有成分を２０％以上であって、蒸留酒である焼酎、泡盛、テキーラ、ウオッカであることを特徴とする請求項１〜請求項３のいずれかに記載の無臭ニンニク液体含有皮膚改善剤。
【考案の詳細な説明】
【技術分野】
【０００１】本考案は、脱臭ニンニク液の臭気防止と同時にアトピー症状等皮膚疾患に有効な無臭ニンニク液体含有皮膚改善剤に関するものである。
【背景技術】
【０００２】ニンニクは古くから食用として、香辛料あるいは滋養強壮剤として一般に使用されている。ニンニク成分の有用性はよく知られているところであるが、その反面、ニンニク特有の臭いが烈しいので、その効用が分かっていても、一般には敬遠されているのが現状である。ニンニクは一般に健康増進用としてのみであった。【０００３】そこでニンニクの脱臭処理に関する試験研究が種々行われている。例えばニンニク根またはその破砕片を火熱処理して粉末乾燥する方法が古くから行われている。しかし、火熱処理すると、生ニンニクに含まれている栄養素、効能成分を多く破壊するという欠点があった。【０００４】また、ニンニクの無臭化において、生ニンニクの破砕物を食用油に浸漬処理する方法（特許文献１参照）、生ニンニクの細断片を固形油脂、甘草と混和する方法（特許文献２参照）などがあるが、いずれも充分にその効果を奏することができなかった。また、生ニンニク粉末を動、植物性油脂とエトキシキンで処理して脱臭する方法（特許文献３参照）が開示されている。【０００５】しかしながら、ニンニクの臭いを消すために、エトキシキンという特別な薬剤を添加することはコストがアップするという問題があり、処理方法も煩雑であった。また、生ニンニクの根を搾汁し、この液を１０℃以下に４〜５日保持し、これと食用油とを混合し、放置して分離した液を採取する脱臭ニンニク液の製法が開示されている（特許文献４参照）。【０００６】ニンニクに関しては、以上のようにニンニク臭を消す方法が種々提案されて、それによって滋養栄養剤として普及されているが、しかしアトピー症状、或はニキビ等の皮膚改善には使用されていることはほとんどない。
【先行技術文献】
【特許文献】
【０００７】
【特許文献１】特許第８６５６６号公報
【特許文献２】特許第１００７７５号公報
【特許文献３】特公昭４８−１６３０６号公報
【特許文献４】特公昭５９−３００６４号公報
【特許文献５】特許第２７５２８４２号公報
【考案の概要】
【考案が解決しようとする課題】
【０００８】一般に調製されたニンニク液は、アミノ酸などの有効な成分を持っており、香辛料あるいは滋養強壮剤として一般に使用されている。このアミノ酸含有成分については、高濃度のアルコール成分とアミン酸成分とによって、皮膚の消毒と活性化として効果をもたらせている。家庭で使用するときに時間が経つと、特に空気に触れた場合に再びニンニク臭が強くなり、無臭という効果が減少してクレームがつくことになるという事態を招くことになった。塗ったりした場合には、悪臭を発生することがある。【０００９】本考案が解決すべき課題は、アミノ酸などの有効な成分、エチルアルコールとの混合携形態を、人体の栄養源としてのみならず、皮膚の改善について、期待される。とくにアトピー皮膚炎には、或はニキビの抑制に有効であるが、しかし多量に塗布し、またニンニクの特有の臭いを持っており、この課題を改善することが、期待されている。無臭の状態を長く保ち、皮膚の改善をもたらすニンニクの抽出成分を製造して、その成分を皮膚に簡単に塗布できるような容器製品を提供することである。
【課題を解決するための手段】
【００１０】この課題を解決するため、３０度以上の糖度を選別された生ニンニクの圧搾された搾り汁を熟成して、その熟成液と植物性油とを混合撹拌し、静置して分離した透明液を採取して静置し、浮上物と沈澱物を分離して得た透明液を採取して、透明ニンニク液を、アルコール含有成分に添加して得る。【００１１】生ニンニクを乾燥して、当該ニンニクを圧搾機によって圧搾ニンニクと搾りエキスを得て、当該エキスを含む混合物を２〜６月間熟成を行って、熟成後固液分離を行って、エキス液体分に植物性オイルを入れて十分に混合した後、オイル成分とエキス液体成分を分別して、エキス液体成分を１〜６日間熟成を行って得られた抽出物を、２０％以上のエチルアルコールを含有する溶液に添加して、１０〜５００ｍＬの容器に充填されている容器入り無臭ニンニク液体含有皮膚改善剤である。【００１２】生ニンニクを圧搾する装置は、ニンニクの皮剥き器と回転ダブルローラーによってニンニク球根を押し潰して、潰しニンニクを圧力１０ｋｇ以上で加圧圧搾機によって、エキス成分を搾りだしたもので、ニンニク球根を０．１〜３ｍｍの厚さに圧搾した後に、さらに液体成分を搾り出しして、ニンニク固形物とニンニクエキスとを分離して、前記のニンニクエキス液体に十分に熟成したものに植物性オイルとして、不飽和脂肪酸を５０％以上含有する植物性の油脂を添加して、ニンニクに含有する臭い成分を菜種油、大豆油、ひまわり油、オリーブ油、ベニバナ油から選ばれた油脂によって取り除かれたニンニク抽出液体成分を、エチルアルコールの濃度２０％以上含有する溶液に１０〜５０％添加して、皮膚に塗布できる容器に充填されている。【００１３】皮膚に塗布できる容器として、１０ｍｌ〜５００ｍｌの容積を持ち、指圧で内部の無臭ニンニク抽出液とアルコール含有成分との混合溶液を圧出できる厚さである可塑性樹脂製の蓋付き容器であって、その容器内に無臭ニンニク抽出液とアルコルール溶液との混合溶液を注入されている携帯用小量容器としては、０．１ｍｍ〜１ｍｍの厚さで、ポリエチレン、ポリプロピレン、塩化ビニル、塩化ビニリデン、ポリエステル、ポリアミドの材質容器である、先端細型形状になっている可塑性樹脂製容器に充填されている。【００１４】アルコールを含有成分は、糖類を発酵させて生成されたエチルアルコールを含有する飲料用アルコールであって、エチルアルコールの含有成分を２０％以上であって、蒸留酒である焼酎、泡盛、テキーラ、ウオッカである。【００１５】エキスを含む混合物の熟成は、３日〜６月間であって、酵素によってアミノ酸類をエキス液体中に５〜１５％含有させている。またアルコール成分はエチルアルコール以外に有効成分を含有しており、焼酎などが有効な物質である。【００１６】生ニンニクの搾り汁と菜種油とを混合撹拌し、静置して分離した透明液を採取して１５〜１９℃で熟成した後静置すると有効成分のアミノ酸が増勢される。
浮上物と沈澱物を分離して得た透明液を採取して再度１５〜１９℃で熟成した後静置し、浮上物を除去して透明ニンニク液を得て、焼酎などのアルコールを含む溶液に添加して皮膚などの消毒と併せて、効能の補助効果をしめすものである。
【考案の効果】
【００１７】上述したように、本考案によれば、容器入り無臭ニンニク液体含有皮膚改善剤を使用して、アトピー症状などの皮膚炎症部に塗布すると、症状が治まり、皮膚状態が元の状態に近いものになった。アルコール成分を含むので、皮膚周辺の消毒する効果を示した。【００１８】ニンニク臭の原因となる成分を取り除いて脱臭することができる。これにより、無臭ニンニク液の品質不変、長期保存にも役立つ。また、小容器に密封した形態で保存、販売、使用することにより、長期保存と変質を防止することができる。
【図面の簡単な説明】
【００１９】
【図１】容器入り無臭ニンニクエキス液体含有皮膚改善剤の容器入り図
【図２】容器入り無臭ニンニクエキス液体含有皮膚改善剤の製造方法の図
【図３】無臭ニンニクエキス液体含有皮膚改善状態図（写真）  Ａ：症状の図  Ｂ：塗布による改善図
【考案を実施するための形態】
【００２０】容器入り無臭ニンニク液体含有皮膚改善剤を使用して、アトピー症状などの皮膚炎症部に塗布すると、症状が治まり、皮膚状態が元の状態に近いものになった。
アルコール成分を含むので、皮膚周辺の消毒する効果を示した。また脱臭したニンニク液の臭気再発原因となる物質を完全に取り除くため、脱臭ニンニク液の中に水分と分離されて含まれている臭気発生物質を、加熱により凝固させて固有物とし、それを浮上または沈澱させることにより水分からその固有物を分離する。残りの水分は完全なる脱臭ニンニク液となる。
【実施例１】
【００２１】図２に示すように、糖度３０％以上の生ニンニクを圧搾する装置は、ニンニクの皮剥き器と回転ダブルローラーによってニンニク球根を押し潰して、潰しニンニクを圧力１０ｋｇ以上で加圧圧搾機によって、エキス成分を搾りだしたもので、ニンニク球根を０．１〜５ｍｍの大きさに圧搾した後に、さらに搾り出しして、ニンニク固形物とニンニクエキスとを分離して、エキス液体成分を得るエキス液体分に注入する植物性オイルとして、不飽和脂肪酸を５０％以上含有する植物性の油脂であって、ニンニクに含有する臭い成分を菜種油によって、抽出されたものを容器に充填されている。これを焼酎１００ｍｌに対して、エキス成分３０ｍｌを添加した。【００２２】図１に示すようなポリエステルで１５０ｍＬあって、細型形状になっている可塑性樹脂製容器に充填されている容器入り無臭ニンニク液体皮膚改善剤である。
この溶液をアトピー症状の肌に１ケ月間塗った場合に、図３のような症状が完治した状態であった。
【実施例２】
【００２３】図２に示すように、生ニンニクを圧搾する装置は、ニンニクの皮剥き器と回転ダブルローラーによってニンニク球根を押し潰して、潰しニンニクを圧力１０ｋｇ以上で加圧圧搾機によって、エキス成分を搾りだしたもので、ニンニク球根を０．１〜５ｍｍの大きさに圧搾した後に、さらに搾り出しして、ニンニク固形物とニンニクエキスとを分離して、エキス液体成分を得るエキス液体分に注入する植物性オイルとして、不飽和脂肪酸を５０％以上含有する植物性の油脂であって、ニンニクに含有する臭い成分を菜種油によって、抽出されたものを容器に充填されている。これを焼酎１００ｍＬに、エキス３０ｍｌを添加した。【００２４】ポリプロピレンで５０ｍＬあって、細型形状になっている可塑性樹脂製容器に充填されている容器入り無臭ニンニク液体皮膚改善剤である。この溶液を顔のニキビ症状の顔に塗った場合に、症状が薄くなった状態であった。
【実施例３】
【００２５】図２に示すように、生ニンニクを圧搾する装置は、ニンニクの皮剥き器と回転ダブルローラーによってニンニク球根を押し潰して、潰しニンニクを圧力１０ｋｇ以上で加圧圧搾機によって、エキス成分を搾りだしたもので、ニンニク球根を０．１〜５ｍｍの大きさに圧搾した後に、さらに搾り出しして、ニンニク固形物とニンニクエキスとを分離して、エキス液体成分を得るエキス液体分に注入する植物性オイルとして、不飽和脂肪酸を５０％以上含有する植物性の油脂であって、ニンニクに含有する臭い成分を菜種油によって、抽出されたものを容器に充填されている。これを泡盛８０ｍＬに、エキス２０ｍｌを添加した。【００２６】ポリエステルで１００ｍＬあって、細型形状になっている容器に充填されている容器入り無臭ニンニク液体皮膚改善剤である。この溶液をペットのアトピー症状に塗った場合に、犬のアトピー症状が軽くなった状態であった。
【符号の説明】
【００２３７】１．無臭ニンニク液体含有皮膚改善剤
２．可塑性樹脂製の蓋付き容器
３．蓋
４．液体取り出し口
５．容器
６．脚
７．患部
【図１】
0003192807.tif 000003
【図２】
0003192807.tif 000004
【図３】
0003192807.tif 000005